(57)【要約】【課題】構造が簡単軽量で取付け及び取外し作業が容易に行えるだけでなく、持ち運びも省力的に行え、しかも、幅木を安定よく強固に起立配置することができる幅木取付け用金具を提供する。【解決手段】布板ａ上に載置する帯状プレート２の両端部に、布板ａの幅方向の両側部分に対する係合部３と４を設け、前記帯状プレート２の上面で何れか一方の端部寄りの位置に、幅木ｂの板厚が嵌る間隔で一対の鉄筋５ａが起立する幅木の嵌め込み保持部５を設けた。【選択図】図１
2011043038.tif 000002
【特許請求の範囲】
【請求項１】
布板の幅方向に沿って、この布板上に載置する帯状プレートの両端部に、布板の両側部分に対する係合部を設け、前記帯状プレートの上面で何れが一方の端部寄りの位置に、幅木の嵌め込み保持部を設けた幅木取付け用金具。
【請求項２】
上記幅木の嵌め込み保持部が、幅木の板厚が嵌る間隔で帯状プレート上に立設した一対の縦柱によって形成されている請求項１に記載の幅木取付け用金具。
【請求項３】
上記帯状プレートの一方端部に設けた係合部が、布板の一方側面から下面に沿うように屈曲する鉤形に形成され、他方端部に設けた係合部が、布板の他方側面に沿って曲がる下向きの屈曲片によって形成されている請求項１又は２に記載の幅木取付け用金具。
【発明の詳細な説明】
【技術分野】
【０００１】  この発明は、枠組み足場や単管足場等の仮設足場において、作業床を形成する布板の側部に対して幅木を起立状となるよう固定配置するための幅木取付け用金具に関する。
【背景技術】
【０００２】  建築工事や土木工事の仮設足場として用いられている枠組み足場や単管足場は、これら足場からの墜落事故の防止措置として、各階の作業床を形成する布板の上面側部に、幅木を起立状に固定配置することが法令によって義務付けられている。【０００３】  枠組み足場や単管足場の作業床を形成する布板に対して、長さ方向に沿う側部に幅木を起立状に固定配置する場合、現場で採用されている最も簡単な方法は、布板の上面側部に起立させた幅木の両端部を番線やゴムバンドで縦柱に固定するものである。【０００４】  しかし、幅木を番線やゴムバンドを用いて縦柱に固定する方法は、幅木の固定及び取外し作業に手間がかかると共に、作業者の番線やゴムバンドの処理の条件によって取付け強度が異なり、幅木の固定に安全確保の面から不安がある。【０００５】  近年、このような、番線やゴムバンドによる幅木の固定方法に生じる問題を解決するため、足場の縦柱に対して取付けることによって、布板の上面側部に幅木を起立配置することができる幅木取付け用金具が提案されている。【０００６】  上記した幅木取付け用金具は、縦柱のブレースピンに吊下げる帯板の背面に、縦柱への外嵌金具を固定すると共に、前記帯板の前面に係止ピンを突設して形成され、幅木は布板上に載置する水平板部と、この水平板部の外縁端から立ち上がる垂直板部で断面Ｌ形となり、幅木取付け用金具を縦柱のブレースピンに吊下げると共に幅木を布板上に載置し、その垂直板部の端部に設けた係止孔を、前記幅木取付け用金具の係止ピンに引掛けることにより、幅木を布板上に固定配置するようになっている（例えば、特許文献１参照）。
【先行技術文献】
【特許文献】
【０００７】
【特許文献１】特開２００７−２４７２６１号公報
【発明の概要】
【発明が解決しようとする課題】
【０００８】  ところで、上記した幅木取付け用金具は、縦柱のブレースピンに取付けるものであるが、足場構造体におけるブレースピンの付近は、ブレースが連結されると共に、布板のフック等が存在し、作業の行ないにくい環境にあり、幅木取付け用金具の取付け及び取外し作業が行いにくいと共に、構造的にも複雑で重量的にも重く、取り扱いや持ち運びに不便となり、また、使用する幅木も専用のものを製作しなければならず、このため、経済的な負担も大きくなるという問題がある。【０００９】  そこで、この発明の課題は、構造が簡単軽量で取付け及び取外し作業が容易に行えるだけでなく、取り扱いや持ち運びも省力的に行え、しかも、幅木を安定よく強固に起立配置することができる幅木取付け用金具を提供することにある。
【課題を解決するための手段】
【００１０】  上記のような課題を解決するため、この発明は、布板の幅方向に沿って、この布板上に載置する帯状プレートの両端部に、布板の両側部分に対する係合部を設け、前記帯状プレートの上面で何れか一方の端部寄りの位置に、幅木の嵌め込み保持部を設けたものである。【００１１】  上記幅木の嵌め込み保持部が、幅木の板厚が嵌る間隔で帯状プレート上に立設した一対の縦柱によって形成されているようにすることができる。【００１２】  また、上記帯状プレートの一方端部に設けた係合部が、布板の一方側面から下面に沿うように屈曲する鉤形に形成され、他方端部に設けた係合部が、布板の他方側面に沿って曲がる下向きの屈曲片によって形成されている構造とすることができる。【００１３】  ここで、仮設足場は枠組足場と単管足場の何れでもよく、また、帯状プレートは、幅が５０ｍｍ程度の金属帯板を用い、幅木の幅寸法に対応する長さを有し、この帯状プレートの一方端部に設けた係合部は、布板の一方側面に沿う垂下板と、この垂下板の下端から布板の下面に沿うよう屈曲する水平板で鉤形に形成され、他方端部に設けた係合部は、帯状プレートの延長部分を下向きに折り曲げることにより形成されている。【００１４】  また、上記帯状プレートの上面に設けた幅木の嵌め込み保持部は、縦柱として二本の鉄筋を用い、帯状プレートの長さ方向に沿って、幅木の板厚が嵌る間隔で溶接固定することで形成されている。
【発明の効果】
【００１５】  この発明によると、作業床を形成する布板上に帯状プレートを載置して取付け、幅木を嵌め込み保持部に嵌め込むだけで、布板の上面で長さ方向の側縁に幅木を起立配置することができ、布板上に帯状プレートを載置して幅木を嵌め込み保持部に嵌め込むだけでよいので、幅木の取付け及び取外し作業が簡単に能率よく行える。【００１６】  また、帯状プレートの両端部に、布板の両側部分に対する係合部を設けたので、布板の幅方向に対して帯状プレートを移動しないように固定でき、布板に対する幅木の取付け位置が正確に決まり、幅木の取付け状態が安定よく強固になり、安全性確保の目的を達成できる。【００１７】  更に、帯状プレートの上面に一対の柱体からなる嵌め込み保持部を設けただけであるので、構造が簡単でコスト的に安く製作でき、仮設足場に対して多数個を使用する場合でも経済的な負担を軽減でき、しかも、全体の重量が軽いので取り扱いや持ち運びにも便利である。
【図面の簡単な説明】
【００１８】
【図１】この発明に係る幅木取付け用金具の斜視図
【図２】この発明に係る幅木取付け用金具の使用状態を示す斜視図
【図３】この発明に係る幅木取付け用金具の使用状態を示す拡大した側面図
【発明を実施するための形態】
【００１９】  以下、この発明の実施の形態を添付画面に基づいて説明する。
【００２０】  図示のように、幅木取付け用金具１は、布板ａ上に載置する帯状プレート２の両端部に、布板ａの両側部分に対する係合部３と４を設け、前記帯状プレート２の上面で一方端部寄りの位置に、幅木ｂの嵌め込み保持部５を設けた構造になっている。
【００２１】  上記帯状プレート２は、例えば、幅が５０ｍｍ、厚さが３．２ｍｍの金属板を用い、布板ａの幅寸法に対応する長さを有し、この帯状プレート２の一方端部に設けた係合部３は、帯状プレート２の延長部分を布板ａの一方側面に沿うよう折り曲げることにより、布板ａの厚みに対応する長さを有する垂下板３ａと、この垂下板３ａの下端から布板ａの下面に沿うよう屈曲する１ｃｍ程度の突出長さの水平板３ｂで鉤形に形成され、また、帯状プレート２の他方端部に設けた係合部４は、帯状プレート２の延長部分を布板ａの他方側面に沿うよう下向きに折り曲げた２ｃｍ程度の屈曲片４ａで形成されている。
【００２２】  上記帯状プレート２を布板ａ上に取付ける場合、一方の端部に設けた鉤形の係合部３を布板ａの建物と反対側の側縁に上から引掛けるように係合させた状態で、この係合部分を支点にして帯状プレート２を布板ａ上に倒して重ねると、他方端部の係合部４が布板ａの建物側の側縁に係合し、帯状プレート２は、布板ａの幅方向に移動できないような取付け状態となる。
【００２３】  なお、帯状プレート２の両端に設ける係合部３と４は、両方とも帯状プレート２の延長部分を下向きに折り曲げた屈曲片で形成した構造でもよく、帯状プレート２を布板ａに対して上から単純に嵌め込むことで取付けが行えることになる。
【００２４】  ちなみに、作業床を形成する布板ａの幅寸法は、２５０ｍｍ、５００ｍｍのように異なるものがあり、従って、帯状プレート２は、この布板ａの幅寸法の変化に対応できる種類の長さを用意すればよい。
【００２５】  上記帯状プレート２の上面で係合部４側の端部寄りの位置に設けた幅木の嵌め込み保持部５は、図示の場合、縦柱として一対となる二本の鉄筋５ａを用い、帯状プレート２の一方端部寄りの位置に、帯状プレート２の長さ方向に沿って、幅木ｂの板厚が嵌る間隔で垂直に溶接固定することで形成されている。
【００２６】  この嵌め込み保持部５に用いる鉄筋５ａは、直径が９ｍｍ程度で上下長さが１５０ｍｍ程度のものを用い、その間隔は、例えば、板厚が２０ｍｍの木製幅木ｂが抜き差し可能に嵌るよう２１ｍｍ程度に設定されている。なお、前記この幅木ｂは、布板ａと同程度の長さと、法定で求められる上下高さ寸法を有している。
【００２７】  また、上記嵌め込み保持部５は、鉄筋５ａ以外の縦柱材料として、例えば、各種パイプ類や平板を用いて形成することができる。
【００２８】  この発明の幅木取付け用金具１は、上記のような構成であり、図２のように、対向する建枠Ａをブレースで結合し、建て枠Ａの横桟Ｂ間に布板（足場板、歩み板）ａを両端のフックで架設して作業床を形成した仮設足場に対して、前記布板ａの上面で建物と反対側の側縁の位置に幅木ｂを配置するには、先ず、布板ａの上面で両端部寄りの位置に幅木取付け用金具１を取付ける。
【００２９】  上記幅木取付け用金具１の取付けは、帯状プレート２の一方端部に設けた鉤形の係合部３を、布板ａの建物と反対側の側縁に対して上から下面に引掛けるように係合させた状態で、この係合部分を支点にして帯状プレート２を布板ａ上に倒して重ねると、他方端部の係合部４が布板ａの建物側の側縁に係合し、図３のように、帯状プレート２は、布板ａの幅方向に移動できないような取付け状態となる。
【００３０】  次に、上記のようにして布板ａの両端部に取付けた幅木取付け用金具１に対して、各幅木の嵌め込み保持部５に、布板ａに見合う長さを有する幅木ｂの両端部を上から嵌め込めば、幅木ｂは起立状態に保持される。
【００３１】  上記幅木ｂは、布板ａに固定となる幅木取付け用金具１の幅木の嵌め込み保持部５で両端が保持されることにより、図２と図３で示すように、布板ａの上面で建物と反対側の側縁部に起立状に配置され、作業員が布板ａ上から足を滑らせて墜落する事故を未然に防止することになる。
【００３２】  なお、幅木ｂは幅木の嵌め込み保持部５に上から落とし込んだだけであり、取外しも上に抜くようにすればよく、また、帯状プレート２も布板ａに対して上からはめ込むように取付け、取り外しは上に引上げるようにすればよいので、仮設足場の布板ａに対して幅木ｂの取付け及び取外し作業が簡単に能率よく行え、しかも、帯状プレート２の上面に突設した幅木の嵌め込み保持部５によって、布板ａに対する幅木ｂの配置位置が一定化すると共に、幅木ｂの必要な配置強度を確保できることになる。
【符号の説明】
【００３３】１          幅木取付け用金具
２          帯状プレート
３          係合部
４          係合部
５          幅木の嵌め込み保持部
５ａ        鉄筋
Ａ          建枠
Ｂ          横桟
ａ          布板
ｂ          幅木
【図１】
2011043038.tif 000003
【図２】
2011043038.tif 000004
【図３】
2011043038.tif 000005